(57)【要約】カラーディスプレイパネルは、少なくとも１つの画素を有する。該画素は、第１の動作範囲にある電圧が印加される場合に、第１のスペクトル分布を有する光を放射し、且つ、第２の動作範囲にある電圧が印加される場合に、異なったスペクトル分布を有する光を放射する発光セル（１３）を有する形式のサブピクセル回路を有する。当該カラーディスプレイパネルは、前記発光セルによる光の放射を制御する信号を第１のサブピクセル回路へ送る少なくとも１つのデータライン（８）を更に有する。前記サブピクセル回路は、前記信号の制御下で、夫々の基準電圧に依存して、夫々の電圧を前記セル（１３）へ印加する少なくとも２つの能動部品（９，１０）を更に有する。
2007508594.tif 000002
【特許請求の範囲】
【請求項１】
第1の動作範囲にある電圧が印加される場合に、第1のスペクトル分布を有する光を放射し、且つ、第２の動作範囲にある電圧が印加される場合に、前記第１のスペクトル分布とは異なる第２のスペクトル分布を有する光を放射する発光セルを有する形式のサブピクセル回路を有する少なくとも１つの画素；及び
前記発光セルによる光の放射を制御する信号を前記サブピクセル回路へ送るデータライン，
を有し、
前記サブピクセル回路は、夫々の基準電圧に依存して夫々の電圧を前記セルへ印加するための、信号によって制御される少なくとも２つの能動部品を更に有する、
ことを特徴とするカラーディスプレイパネル。
【請求項２】
更なるデータラインを有し、
前記サブピクセル回路内の前記能動部品のうちの少なくとも１つは、前記更なるデータラインのうちの結合された１つを介して供給される信号によって、独立して制御可能である、
ことを特徴とする請求項１記載のカラーディスプレイパネル。
【請求項３】
前記サブピクセル回路への前記信号の供給の中断の前に、前記データラインを介して供給される信号のレベルによって決められるレベルで、前記能動部品のうちの１つを制御する信号レベルを保持するストレージ素子を更に有する、請求項１記載のカラーディスプレイパネル。
【請求項４】
前記能動部品は、前記信号の制御下で、２つの状態の間で切り換え可能な双安定回路に含まれる、ことを特徴とする請求項１記載のカラーディスプレイパネル。
【請求項５】
前記少なくとも２つの能動部品のうちの第１の能動部品は、前記発光セルへの電流の供給源として働くよう配置され、前記少なくとも２つの能動部品のうちの他の能動部品は、前記発光セルからの電流のシンクとして働くよう配置される、ことを特徴とする請求項１記載のカラーディスプレイパネル。
【請求項６】
前記サブピクセル回路は、前記セルの暗状態を設定するための、前記発光セルに並列結合されたリセットスイッチを更に有する、ことを特徴とする請求項２記載のカラーディスプレイパネル。
【請求項７】
同じ形式の少なくとも２つのサブピクセル回路を有する、請求項１記載のカラーディスプレイパネル。
【請求項８】
同じ動作範囲で前記少なくとも２つのサブピクセル回路を駆動することが可能となるよう構成された、請求項７記載のカラーディスプレイパネル。
【請求項９】
第1の動作範囲にある電圧が印加される場合に、第1のスペクトル分布を有する光を放射し、且つ、第２の動作範囲にある電圧が印加される場合に、前記第１のスペクトル分布とは異なる第２のスペクトル分布を有する光を放射する発光セルを有する形式のサブピクセル回路を有する少なくとも１つの画素，及びデータラインを有するカラーマトリクスディスプレイパネルを駆動する方法であって：
前記発光セルによる光の放射を制御する信号を前記データラインを介して前記サブピクセル回路へ送るステップ；及び
基準電圧に依存して、前記信号によって制御される少なくとも２つの能動部品を介して、夫々の電圧を前記セルへ印加するステップ；
を有する方法。
【請求項１０】
前記能動部品のうちの対応する能動部品へ、該対応する能動部品の特性を示す情報に依存するレベルで前記信号を供給するステップを有する、請求項９記載の方法。
【請求項１１】
他の動作範囲から最も離れた動作範囲の十分に極めて端にある部分的な範囲内の値へと前記夫々の電圧を設定するために、少なくとも１つの予備調整パルスを前記サブピクセル回路へ供給するステップを有する、請求項９記載の方法。
【請求項１２】
第1の動作範囲にある電圧が印加される場合に、第1のスペクトル分布を有する光を放射し、且つ、第２の動作範囲にある電圧が印加される場合に、前記第１のスペクトル分布とは異なる第２のスペクトル分布を有する光を放射する発光セルを有する形式のサブピクセル回路を有する少なくとも１つの画素を有するカラーマトリクスディスプレイパネルを有し、請求項９記載の方法を実行する手段を有する表示システム。
【請求項１３】
プログラマブル・デバイスが請求項９記載の方法を実行することを可能にするための手段を有するプログラム。
【発明の詳細な説明】
【技術分野】
【０００１】
本発明は、第１の動作範囲にある電圧が印加される場合に、第1のスペクトル分布を有する光を放射し、且つ、第２の動作範囲にある電圧が印加される場合に、異なったスペクトル分布を有する光を放射する発光セルを有する形式のサブピクセル回路を有する少なくとも１つの画素と、前記発光セルによる光の放射を制御する信号を前記サブピクセル回路へ送るデータラインとを有するカラーディスプレイパネルに関する。
【背景技術】
【０００２】
このようなディスプレイパネルの一例は、ＷＯ９８／５９３８２から知られる。周知のパネルは、個別の画素から成る複数の行を有する。好ましい実施例では、画素の配列は、アクティブアレイである。個々の画素の色は、ディスプレイの電圧を調整することによって制御されうる。夫々の画素は、特定の色及び選択された輝度へと設定可能である。夫々の色に対して様々なグレーレベルを発生させるために、パルス幅変調が適用される。カラーディスプレイは、カラーシーケンシャル形式（ｃｏｌｏｒ  ｓｅｑｕｅｎｔｉａｌ  ｔｙｐｅ）モードでディスプレイを作動させることによって得られても良い。これを行う１つの方法は、一度に行において、赤色データ、緑色データ、及び青色データを順次に作動させることである。代替的には、夫々のフレームが複数の色のうちの１つのために設けられている全てのフレームが、順次に発生しても良い。全てのフレームアプローチは、アクティブマトリクス・トランジスタ・アレイが用いられる場合に、ディスプレイが最大輝度で作動することを可能にする。これは、データが変更されて、瞬時電圧パルスが印加されるまで、照射された画素がオンのままである場合に、ディスプレイの直流（ＤＣ）のような動作を可能にする。
【０００３】
周知の装置の問題は、夫々の画素によって放射される光の色及び強度の両方を正確に制御することが困難であることである。これは、夫々の放射される色成分の強度を制御するようパルス幅変調と組み合わせて夫々の色成分を順次にプログラムするために、フレーム時間がサブフレーム又はサブフィールドに分けられるべきであることに起因する。例えば、３つの色及び２５６の異なった強度レベルを有するように、サブピクセル回路に対するフレーム時間は、３×２５６のサブフレーム期間に分けられなければならない。これは、非常に高くて安定した周波数で動作することが可能な駆動回路を意味し、パネルを内蔵するディスプレイ装置を高価にする。あるいは、それは、不正確な強度及び／又は色の設定をもたらす。
【発明の開示】
【発明が解決しようとする課題】
【０００４】
本発明は、サブピクセル回路によって放射される光の強度及び色の両方に関して改善された制御をもたらす上述した形式のカラーディスプレイパネルを提供することを目的とする。本発明は、独立請求項により定義される。従属請求項は、有利な実施例を定義する。
【課題を解決するための手段】
【０００５】
本発明は、サブピクセル回路が、夫々の基準電圧に依存して夫々の電圧を前記セルへ印加するための、信号によって制御される少なくとも２つの能動部品を更に有することで実現される。
【０００６】
基準電圧の夫々は、夫々の電力ラインを介してサブピクセル回路へ結合された安定した電力供給電圧であっても良い。グレーレベルが、例えば、パルス幅変調を用いることによって、デジタル手法で作られる場合には、前記能動部品は、前記基準電圧をセルへ送るスイッチとして動作しうる。
【０００７】
従って、セルへ印加される夫々の電圧は、（前記能動部品の両端の無視することのできる電圧降下は別として、）実質的に夫々の基準電圧に等しい。１つの能動部品しか用いられない場合には、この能動部品は、様々な電圧を供給するアナログ素子として動作すべきである。結果として、供給される電圧は、能動部品のパラメータに依存し、より安定的ではなくなり、従って、より誤差が大きくなる。
【０００８】
グレーレベルが、例えば、第１及び第２の動作範囲内の様々なアナログ電圧によりセルを駆動することによって、アナログ手法で作られる場合には、能動部品は、アナログ素子として動作しうる。アナログ素子の夫々は、例えば、動作範囲のうちの１つの一番端の近い値を有している、その対応する電圧を受ける。従って、能動部品の夫々の両端の電圧降下は、およその零ボルトと、関係する動作範囲内の最大電圧差との間で変化する。結果として、能動部品の両端の電圧は、比較的低いままであるので、能動部品のパラメータの影響は比較的小さく、従って、少なくとも２つの能動部品を有する回路は、より誤差が小さい。
【０００９】
好ましい実施例では、当該カラーディスプレイパネルは、更なるデータラインを有し、前記サブピクセル回路内の前記能動部品のうちの少なくとも１つは、前記更なるデータラインのうちの結合された１つを介して供給される信号によって、独立して制御可能である。
【００１０】
従って、能動部品の特性の偏差を考慮して、それらの特性に従ってその能動部品を制御する信号を適合させることが可能である。
【００１１】
好ましい実施例は、前記サブピクセル回路への前記信号の供給の中断の前に、前記データラインを介して供給される信号のレベルによって決められるレベルで、前記能動部品のうちの１つを制御する信号レベルを保持するストレージ素子を有する。
【００１２】
これは、例えば、ある列に存在する複数のサブピクセル回路のデータラインを一体化することによって、マトリクスディスプレイパネルで使用するデータラインの数をより少なくすることができる。必要とされる色及び強度レベルへと夫々のサブピクセル回路を設定するために使用されるデータラインの数を減らすことは、短い持続期間の制御信号を１つ又はそれ以上の共有されたデータラインを介して順に夫々のサブピクセル回路へ供給することによって可能にされる。
【００１３】
一実施例では、前記能動部品は、前記信号の制御下で、２つの状態の間で切り換え可能な双安定回路に含まれる。
【００１４】
この実施例は、サブピクセル回路を特定の強度及び放射スペクトルに保つための複雑な記憶配置を必ずしも必要とせずに、マトリクスディスプレイパネルにおいてサブピクセル回路の順次的な駆動を可能に点で有利である。
【００１５】
前記発光セルは、有機発光ダイオードであっても良い。
【００１６】
本発明の他の態様に従って、本発明の方法は、第1の動作範囲にある電圧が印加される場合に、第1のスペクトル分布を有する光を放射し、且つ、第２の動作範囲にある電圧が印加される場合に、前記第１のスペクトル分布とは異なる第２のスペクトル分布を有する光を放射する発光セルを有する形式のサブピクセル回路を有する少なくとも１つの画素，及びデータラインを有するカラーマトリクスディスプレイパネルを駆動する方法であって：
-  前記発光セルによる光の放射を制御する信号を前記データラインを介して前記サブピクセル回路へ送るステップ；及び
-  基準電圧に依存して、前記信号によって制御される少なくとも２つの能動部品を介して、夫々の電圧を前記セルへ印加するステップ；
を有する。
【００１７】
本発明の一実施例は、他の動作範囲から最も離れた動作範囲の十分に極めて端にある部分的な範囲内の値へと前記夫々の電圧を設定するために、少なくとも１つの予備調整パルスを前記サブピクセル回路へ供給するステップを有する。
【００１８】
従って、前記サブピクセル回路が意図された動作範囲で動作することが確実とされる。それによって、より強度の強い原色が表示可能となる。
【００１９】
本発明の方法の好ましい実施例は、ある瞬間に前記画素によって放射されるべき少なくとも２つの色の成分の夫々の画素強度を表すフレーム情報の連続する組を受けるステップと、フレーム期間内に一組のフレーム情報内の情報に従って前記サブピクセル回路によって放射される光の強度及び色を設定するステップとを有し、このとき、フレーム期間内に、少なくとも１つのサブピクセル回路において、第１の動作範囲、及び続く第２の動作範囲にある電圧差が前記発光セルへ印加される。
【００２０】
従って、色の混合が表示される。即ち、色は、第１及び第２の動作範囲で動作する場合に、前記発光セルの色の間にある色を有すると認められる。これは、色が非常に高速に互いに続くので、その結果が色の混合とみなされるためであり、あるいは、前記発光セルのキネティクスのためである。
【００２１】
本発明の他の態様に従って、第1の動作範囲にある電圧が印加される場合に、第1のスペクトル分布を有する光を放射し、且つ、第２の動作範囲にある電圧が印加される場合に、前記第１のスペクトル分布とは異なる第２のスペクトル分布を有する光を放射する発光セルを有する形式のサブピクセル回路を有する少なくとも１つの画素を有するカラーマトリクスディスプレイパネルを有する表示システムが提供され、当該表示システムは、本発明に従う方法を実行する手段を更に有する。この表示システムは、前記カラーマトリクスディスプレイパネルにおいて夫々の画素によって放射される光の色及び強度の両方を高速に、且つ、正確に設定することを可能にする。
【００２２】
本発明の他の態様に従って、プログラマブル・デバイスが本発明に従う方法を実行することを可能にするための手段を有するプログラムが提供される。
【００２３】
このプログラムは、プログラマブル装置が、本発明のように、カラーマトリクスディスプレイパネルを駆動する作動することを可能にする。このようにして、本発明の有利な効果の実現が可能である。
【発明を実施するための最良の形態】
【００２４】
以下、添付の図面を参照して、本発明を更に詳細に説明する。
【００２５】
図１は、カラーマトリクスディスプレイ内の画素１〜３の列を概略的に示す。画素１〜３の夫々は、実質的に類似する配置を有しているため、第１の画素１のみが更に詳細に示されている。第１の画素１は、３つのサブピクセル回路４〜６を有する。第１のサブピクセル回路４及び第２のサブピクセル回路５は、色切替え可能な形式から成り、赤及び緑の両成分を放射するよう構成されている。この形式のサブピクセル回路の実施例については、以下で更に詳細に記述する。第３のサブピクセル回路６は、青色光のみを放射するよう構成されている。
【００２６】
本発明の他の実施例が可能であり、このような実施例では、第１及び第２のサブピクセル回路４、５は、第３の動作範囲へと切替え可能な形式から成る。第３の動作範囲では、それらのサブピクセル回路は、例えば、青色に対応する波長でピークを有する第３のスペクトル分布を有する光を放射する。この実施例では、赤から緑、緑から青、及び青から赤への切替え、並びに元に戻る切替えが可能である。また、この実施例では、３つのサブピクセル回路４〜６は、全て、同じ形式から成っても良い。言うまでもなく、画素毎に３より多いサブピクセル回路が存在し、且つ／あるいは、夫々の色が３より多い原色成分から作り出される他の実施例も、本発明の適用範囲内である。
【００２７】
表示制御部７は、ある瞬間に画素によって放射されるべき３つの色成分の強度レベルを画素１〜３の夫々に対して表すフレーム情報の連続した組を受ける。望ましくは、３つの色成分は、赤、緑及び青であるが、ＹＵＶ信号も、表示制御部７によって扱われうる。情報が非常に強い赤色成分を表す場合には、第１及び第２のサブピクセル回路４、５は、両方とも、同じ動作範囲で動作する。即ち、第１及び第２のサブピクセル回路４、５は、両方とも、赤色に対応するスペクトル分布を有する光を放射するよう設定される。
【００２８】
より簡潔で明瞭な提示のために、図２〜４の夫々は、１つの色切替え可能なサブピクセル回路のみを示す。
【００２９】
図２に示す本発明に従うサブピクセル回路の一実施例は、データライン８を介して供給される信号の制御下で、２つの状態の間で切替え可能な双安定回路を有する。この場合に、双安定回路は、ＰＭＯＳトランジスタ９及びＮＭＯＳトランジスタ１０を有するＣＭＯＳインバータ回路を有する。他の形式の双安定回路が用いられても良く、容易に当業者には考えつくであろう。例えば、ＮＭＯＳ又はＰＭＯＳインバータ回路が用いられても良い。しかし、ＣＭＯＳインバータ回路は、抵抗を使用しないことから、好ましく、従って、多結晶シリコンから作られ得る。
【００３０】
第１の電力ライン１１及び第２の電力ライン１２は、夫々、所定の電圧レベルＶ１及びＶ２に保持される。第１及び第２の電力ライン１１、１２は、画素の配列、例えば、図１に示した列にある画素１〜３の全て又は部分集合の夫々の画素内のサブピクセル回路へ接続されている。トランジスタ９，１０は、サブピクセル回路内の発光セル１３へ供給される電力を変化させる。発光セル１３は、２つの電極、即ち、陽極及び陰極を有する素子である。これらの電極の間には、電圧差が印加される。本発明で用いられる発光セルは、第１の動作範囲にある電圧差が電極間に印加される場合には、第１のスペクトル分布を有する光を放射し、第１の動作範囲とは異なる第２の動作範囲にある電圧差が印加される場合には、第２のスペクトル分布を有する光を放射するよう構成されている。
【００３１】
本発明は、少なくとも２つの発光層、即ち、更に一般的には、少なくとも２つの発光相から成る如何なる素子をも使用することができる。相は、付随して存在する他のエンティティとは異なる光学特性を示すエンティティを意味する。例えば、異なる相が、異なるポリマーを構成しても良く、あるいは、１つの相は、ポリマーと、他の色素相とから成っても良い。代替的には、１つの相は、ポリマーのバルクであり、一方、他の相は、ポリマーのインターフェースでありうる。
【００３２】
例えば、電荷担体の再結合帯が、分子Ａから成る相Ａに置かれている場合には、分子Ａが発光し、再結合帯が相Ｂに置かれている場合には、分子Ｂが発光しうる。留意すべきは、本発明は、能動型発光セルにのみ関することである。即ち、照明源は、受動型バックライト素子とは対照的に、発光セル内に置かれている。
【００３３】
本発明は、少なくとも２分類の素子の全てに及ぶ。第１の分類は、電流フローの２つの方向（順方向及び逆方向のバイアス）で発光するよう駆動可能であって、本願では極性切替え素子と呼ばれる素子を有する。第２の分類は、ダイオード特性を有し、発光するよう電流フローの一方向（順方向又は逆方向のいずれか一方のバイアス）でのみ駆動可能な素子を有する。バイアスの量に依存して、素子は、少なくとも２つの可能な動作範囲のうちの一方又は他方にある。
【００３４】
素子の第２の分類の例は、例えば、バーググレン，Ｍ等により著された、１９９４発行ネイチャー３７２号４４４〜４５６頁掲載の「ポリマーブレンドからの可変光を伴う発光ダイオード（原題：Ｌｉｇｈｔ−ｅｍｍｉｔｉｎｇ  ｄｉｏｄｅｓ  ｗｉｔｈ  ｖａｒｉａｂｌｅ  ｃｏｌｏｒｓ  ｆｒｏｍ  ｐｏｌｙｍｅｒ  ｂｌｅｎｄｓ）」から知られる。極性切替えセルの一例は、ヤン・ヤン及びキビン・ペイにより著された、１９９６年発行応用物理学レター６８（１９）号２７０８〜２７１０頁及びＵＳ−Ｂ１−６，２３５，４１４に記載の「電圧制御型２色発光電気化学セル（原題：Ｖｏｌａｔａｇｅ  ｃｏｎｔｒｏｌｌｅｄ  ｔｗｏ  ｃｏｌｏｒ  ｌｉｇｈｔ−ｅｍｉｔｔｉｎｇ  ｅｌｅｃｔｒｏｃｈｅｍｉｃａｌ  ｃｅｌｌｓ）」で知られる。両分類に属する素子の一例は、ワン，Ｙ．Ｚ等により著された、１９９９年発行応用物理学レター７４（１８）号２５９３〜２５９５頁掲載の「共役ポリマーに基づく極性及び電圧制御型色可変発光素子（原題：Ｐｏｌａｒｉｔｙ  ａｎｄ  ｖｏｌｔａｇｅ  ｃｏｎｔｒｏｌｌｅｄ  ｃｏｌｏｒ−ｖａｒｉａｂｌｅ  ｌｉｇｈｔ−ｅｍｉｔｔｉｎｇ  ｄｅｖｉｃｅｓ  ｂａｓｅｄ  ｏｎ  ｃｏｎｊｕｇａｔｅｄ  ｐｏｌｙｍｅｒｓ）」から知られる。
【００３５】
本明細書は、同じ出願人による、同時継続の台湾特許出願０９２１１４７６３においてより詳細に記述されている２色発光セルを有するサブピクセル回路の使用に焦点を合わせる。このようなセルでは、半導体ポリマーの可溶性誘導体、即ち、均一分散複核ルテニウム錯体に分子的にドープされたポリフェニレンビニレン（ＰＰＶ）から作られた電界発光素子が２つの電極の間に挟まれている。これは、完全可逆電圧に依存する緑及び赤の光放射の間の切替えを示す。素子構造は、ガラス基板上の下部電極としての透明なＩＴＯ層から成り、ガラス基板上には、活性層が堆積されており、例えば、金が上部電極として堆積されている。活性層のルテニウム錯体は、三重項発光体及び電子伝達媒体の二重課題を満足する。順方向バイアス（即ち、金電極よりも高い電位にあるＩＴＯ電極）では、ルテニウム化合物の励起状態となっており、錯体の特有の赤色発光が観測される。バイアスの反転時には、ＰＰＶポリマーの最も低い励起一重項状態となっており、その結果、緑色光の放射が発生する。留意すべきは、素子はダイオードとして機能しないが、むしろ、ほぼ対称的な電流対電圧動作を示し、順方向バイアスで赤色光及び逆方向バイアスで緑色光を放射することである。このようにして、極性が切り替えられる。このような単一層である色切替えセルは、図２〜４の実施例の夫々により用いられうる。
【００３６】
図２に戻り、２つの動作範囲の間で切り替えるために、第１の電力ライン１１は、発光セル１３の電極のうちの１つが保持されている共通接地に対して、正の電圧レベルにある。第２の電力ライン１２は、負の電圧レベルに保持されている。発光セル１３の電極間の電圧差を設定するよう、行選択信号が、行選択ライン１４を介して供給されて、行選択スイッチ１５が閉じられる。従って、光の放射を制御する信号は、データライン８を介してサブピクセル回路へと、更に正確には、その能動部品、即ち、ＰＭＯＳトランジスタ９及びＮＭＯＳトランジスタ１０へと供給される。ＰＭＯＳトランジスタ９は、発光セル１３の電流の供給源として働き、一方、ＮＭＯＳトランジスタ１０は、発光セル１３からの電流のシンクとして働く。留意すべきは、ＣＭＯＳインバータは双安定であるので、状態は、行選択スイッチ１５が再び開かれる場合には、データライン８を介して最後に供給された信号によって決められたまま保持される点である。発光セル１３の両端の電圧差は、電力ライン１１、１２が保持された電圧レベルＶ１及びＶ２、並びにトランジスタ９、１０の特性によって決められる。このようにして、動作範囲が決められ、それによって、放射光の色が決められる。放射光の強度は、サブピクセル回路が特定の状態にある持続期間によって決められる。
【００３７】
図３に示す実施例では、強度レベルは、切替えを伴わずに設定可能である。本実施例は、また、発光セル１６及び２つの能動部品、即ち、先と同じく、ＰＭＯＳトランジスタ１７及びＮＭＯＳトランジスタ１８を有する。ＰＭＯＳトランジスタ１７は、第１の電力ライン１９を介して供給される電力を変化させ、一方、ＮＭＯＳトランジスタ１８は、第２の電力ライン２０を介して供給される電力を変化させる。第１の電力ライン１９は、正の基準電圧Ｖ１に保持され、一方、第２の電力ライン２０は、負の電圧レベルＶ２に保持される。従って、ＰＭＯＳトランジスタ１７は、電流源として機能し、一方、ＮＭＯＳトランジスタ１８は、発光セル１６からの電流のシンクとして機能する。
【００３８】
図３の実施例は、ＰＭＯＳトランジスタ１７及びＮＭＯＳトランジスタ１８が、夫々、第１のデータライン２１及び第２のデータライン２２を介して供給される信号を用いて個々に制御される点で有利である。供給される信号は、ＰＭＯＳトランジスタ１７のゲートを第１のデータライン２１へ、及びＮＭＯＳトランジスタ１８のゲートを第２のデータライン２２へ夫々接続する行選択スイッチ２３、２４が閉じられる場合に、トランジスタ１７及び１８をプログラムする。行選択スイッチ２３、２４は、行選択ライン２５を介して供給される信号によって制御される。第１のデータライン２１を介するＰＭＯＳトランジスタ１７のゲートへのデータ信号の供給が、結合された行選択スイッチ２３の開成によって中断される場合に、電圧レベルは、ＰＭＯＳトランジスタ１７を制御するよう、蓄積キャパシタ２６により保持される。同様に、第２のデータライン２２を介するＮＭＯＳトランジスタ１８のゲートへのデータ信号の供給が、結合された行選択スイッチ２４の開成によって中断される場合に、ＮＭＯＳトランジスタ１８を制御する電圧レベルは、蓄積キャパシタ２７に蓄えられた電荷によって保持される。代替的には、データ信号は、２つの行選択スイッチ２３、２４が２つの行選択ラインを介して別々に供給される２つの信号によって制御される場合には、同じデータラインによって供給可能である。
【００３９】
図５を参照すると、（同じ信号が同時にＰＭＯＳトランジスタ９及びＮＭＯＳトランジスタ１０へ供給される）データライン８を介して供給される（共通の接地に対する）電圧レベルＶｉｎの関数として、図２の発光セル１３の両端の電圧差Ｖｏｕｔが示されている。明らかであるように、発光セルが電流駆動されるアナログ窓ΔＶが存在する。即ち、発光セル１３を流れる電流の量は、サブピクセル回路内の能動部品を制御する信号である入力電圧Ｖｉｎによって決められる。アナログ窓の外では、素子は電圧駆動され、２つのトランジスタ９、１０のうちの１つは、スイッチとして完全に開き、他は、完全に閉じられている。
【００４０】
留意すべきは、このような機構は、アナログ窓の大きさ及び形状が適合可能であるという点で有利である。製造時にトランジスタ９、１０の特性（即ち、チャネル幅及び長さ、閾値電圧、キャリア移動度）を変更することによって、アナログ窓は、程度の差はあるが、対称にされうる。類似する適合は、電力ライン１１、１２の電圧レベルＶ１、Ｖ２が変えられるところの駆動方法により達成可能である。
【００４１】
図３の回路に極めて適したアナログ窓で駆動する際には、トランジスタ特性の許容差が考慮されても良い。例えば、ＰＭＯＳトランジスタ１７及びＮＭＯＳトランジスタ１８が完全に相補的ではない場合に、別々のデータライン２１、２２の使用は、例えば、このことを考慮し、対照的なアナログ窓を達成することを可能にする。言い換えると、所謂時間零補正が実行可能である。トランジスタ１７、１８の夫々の特性を示す情報は、製造時に決められて記憶される。例えば、図１の表示制御部７のような駆動回路は、夫々の個々のサブピクセル回路に対してデータライン上の信号レベルを設定する際に、記憶された情報を調べて考慮するよう配置されている。
【００４２】
図４の回路は、発光するよう電流フローの一方向（順方向又は逆方向のいずれか一方のバイアス）でのみ駆動可能なダイオード特性を有する素子の分類にある発光セル２８を有する。この分類の素子は、図３の回路によっても、共通接地レベルに対してどちらも正である電圧Ｖ１及びＶ２を印加することによって駆動可能である。この実施例では、サブピクセル回路は、また、ＰＭＯＳトランジスタ２９及びＮＭＯＳトランジスタ３０を有する。第１の行選択スイッチ３１は、第１のデータライン３３を介してＰＭＯＳトランジスタ２９のゲートへ信号を選択的に供給するよう、行選択ライン３２上の信号によって制御可能である。第２の行選択スイッチ３４は、第２のデータライン３５を介してＮＭＯＳトランジスタ３０のゲートへ信号を選択的に供給するよう、行選択ライン３２上の信号によって制御可能である。第１のデータライン３３による制御信号の供給が中断される場合に、最後に供給された電圧レベルは、第１の蓄積キャパシタ３６の電荷によって保持される。同様に、第２のデータライン３５による制御信号の供給が中断される場合に、最後に供給された電圧レベルは、第２の蓄積キャパシタ３７の電荷によって保持される。ＰＭＯＳトランジスタ２９のソースでの電圧レベルは、第１の電力ライン３８の電圧レベルＶ１によって設定され、ＮＭＯＳトランジスタ３０のソースでの電圧レベルは、第２の電力ライン３９に保持された電圧レベルＶ２によって設定される。この場合には、２つの電圧レベルＶ１、Ｖ２は、両方とも、発光セル２８の共通接地に対して正である。第１及び第２のデータライン３３、３５を介して供給される信号によって決められる動作範囲に依存して、電圧が、第１又は第２のいずれか一方の動作範囲にある発光セル２８へ供給され、ＰＭＯＳトランジスタ２９又はＮＭＯＳトランジスタ３０のいずれか一方のソースとドレインとの間の電圧降下は減少する。発光セル２８の暗状態を瞬時に設定するよう、リセットスイッチ４０が用いられる。リセットスイッチ４０は、更なるデータライン４１を介してデータ信号を受信する。第３の行選択スイッチ４２は、リセットスイッチ４０に直列結合されており、行選択ライン３２の信号によって制御可能である。この第３の行選択スイッチ４２は、その行のアドレス指定時間の間だけ、暗状態を設定することを可能にする。リセットスイッチ４０は、第３の行選択スイッチ４２を介して、発光セル２８の電力を共通接地へ、あるいは、代替的には、他の共通ラインへ接続する暗状態への高速遷移を可能にする。暗状態をプログラムするために、更なるデータライン４１からのリセットデータ信号と同時に、ＰＭＯＳトランジスタ２９及びＮＭＯＳトランジスタ３０をオフ状態に設定する２つの信号が、データライン３３、３５によって供給される。
【００４３】
夫々の色放射に対して発光セル２８の強度レベルを設定するために、サブフィールドによるパルス幅変調技術が好ましい。サブフィールドの長さは、色放射の強度レベルを決定する。このようなカラーシーケンシャル形式モードでは、２つの色の強度レベルは、人間の目及びその強度によって認知される色点を決定する。連続する色の混合は、カラー・サブフィールドのみならず、１つ又はそれ以上のフレーム期間も用いることによって得られうることが分かる。一般的に、カラー・サブフィールド期間は、人間の視覚システムと比較して短い。
【００４４】
この駆動方法が図６に示されている。図６は、２つの連続するフレーム期間Ｔｆ１〜Ｔｆ２の間の時間ｔの関数としての発光セル２８の両端の電圧Ｖを示す。夫々のフレーム期間は、１つの色放射に対して夫々、ほぼ等しい持続期間の２つのサブフィールドＴｆＡ１、ＴｆＡ２及びＴｆＢ１、ＴｆＢ２に分けられている。１つのカラー・サブフィールド期間内に、発光セル２８は、２つの動作範囲のうちの１つにあって、例えば、サブフィールドの一部ＴｆＡ１の間には、第１の動作範囲内の電圧Ｖａが供給され、一方、主部ＴｆＢ１の一部の間には、第２の動作範囲内の電圧Ｖｂが供給される。その場合、夫々のカラー・サブフィールドでは、より多くのサブフィールドが強度レベルを決定するために使用される。明瞭さのために、これらのサブフィールドは、本願では、強度サブフィールドと呼ばれる。強度サブフィールドの数は、通常、グレースケール解像度と呼ばれる強度レベルの数を決定する。夫々のカラー・サブフィールドにおいて、行選択スイッチ３１、３４、４２は、行選択ライン上の信号によって閉じられ、発光セル２８を２つの色のうちの１つに輝かせ、あるいは暗くするデータ信号は、強度サブフィールドの数に等しい数だけ何度も、第１及び第２の蓄積キャパシタ３６、３７に書き込まれる。
【００４５】
第１のフレーム期間Ｔｆ１の第１のサブフィールドＴｆＡ１において、電圧Ｖａは、第１及び第２のデータライン３３、３５を介して供給される信号によって決定されて、第１及び第２の蓄積キャパシタ３６、３７によって保持されるように、ＰＭＯＳトランジスタ２９のソースとドレインとの間の電圧降下の減少により主に供給される。第１のフレーム期間Ｔｆ１の第２のサブフィールドＴｆＢ１において、電圧Ｖｂは、ＮＭＯＳトランジスタ３０のソースとドレインとの間の電圧降下の減少により主に供給される。
【００４６】
放射光の強度は、リセットスイッチ４０によって制御される。第１のフレーム期間Ｔｆ１の第１のカラー・サブフィールド期間ＴｆＡ１では、光は、第１の強度サブフィールドの間に放射される。第１の強度サブフィールドは、本例では、カラー・サブフィールド期間ＴｆＡ１の持続期間の半分の期間に対応する。第１のフレーム期間Ｔｆ１の第２のカラー・サブフィールド期間ＴｆＢ１では、光は、カラー・サブフィールド期間ＴｆＢ１の持続期間の４分の３の期間の間に放射される。同様に、第２のフレーム期間Ｔｆ２において、第１のカラー・サブフィールド期間ＴｆＡ２の間の強度サブフィールドの持続期間は、より短く、一方、第２のカラー・サブフィールド期間ＴｆＢ２の間の強度サブフィールドの持続期間は、その最大値にあることが示されている。
【００４７】
図７は、図３のサブピクセル回路の駆動方法を表す。それは、１つのフレーム期間Ｔｆの間の発光セル１６の両端の時間ｔの関数としての電圧差Ｖの展開を示す。明らかであるように、本実施例では、カラー・サブフィールド期間ＴｆＡ、ＴｆＢは、両方とも、サブピクセルの選択周期よりも短い予備調整期間Ｔｐｒｅｃと、駆動期間Ｔｄに分けられている。更に一般的な場合では、１つの色しか予備調整を必要としない。この場合には、予備調整期間は、カラー・サブフィールドのうちの１つにだけ存在する。駆動期間Ｔｄの間に、発光セル１６は、図５のアナログ窓で駆動される。代替的には、強度サブフィールドの持続期間によるパルス幅変調技術も使用可能である。サブピクセルの選択の間に、予備調整パルスが、予備調整期間の持続期間の間に印加される。予備調整期間は、ごくごく小さい期間であっても良い。予備調整パルスは、他の動作範囲から最も遠く離れた動作範囲の一番端の部分範囲内にある振幅を有する。望ましくは、それは、図５に示されたアナログ窓の一番端にある。予備調整パルスは、セル１６が予備調整期間の後に所望の色の光を放射することが可能であるように、最適な（化学的及び／又は物理的）形態に発光セル１６を設定する。予備調整の後、即ち、駆動期間Ｔｄの間には、所定の色の強度範囲全体の中の如何なる値も選択可能である。サブピクセル回路が２つの連続するフレーム期間の間に同じ色の光を放射すべき（他の色の放射がない）場合には、予備調整パルスが省略されても良い。
【００４８】
従って、色混合が、フレーム期間内に第１の極性の電圧差を印加し、次に、駆動期間の後に逆の極性の電圧差を印加することによって達成されうる。逆の極性の電圧が十分に速やかに、又は極めて短い遅延の後に、第１の極性の後に続く場合には、短い中間期間の間に、発光セルは、複数の色の混合を放射する。これは、発光セルのカラーキネティクスを使用して達成される。第１の極性の電圧を取り除く際に、対応する第１の色の放射は、即座に止まらず、徐々に減少する。結果として、中間期間の間に、セルは、逆電圧に対応する第２の色のみならず、第１の電圧に対応する第１の色の幾らかを依然として放射する。
【００４９】
図８は、色混合を得るための改善された駆動方法を示す。この場合には、中間色が表示されるべき１つのフレーム期間内で、第１の極性の第１の予備調整パルスが、第１のカラー・サブフィールド期間ＴｆＡの開始時に印加され、異なる極性の第２の予備調整パルスが、中間のカラー・サブフィールドＴｆＡ−Ｂの開始時に印加される。より良い色混合を得るために、第２の予備調整パルスは、望ましくは、第１の予備調整パルスの持続期間ＴｐｒｅｃＡよりも短い持続期間ＴｐｒｅｃＡ−Ｂを有する。極限状況において、持続期間ＴｐｒｅｃＡ−Ｂは、零に等しくなりうる。代替的には、又は更には、パルスの振幅は、発光セル１６に完全にバイアスをかけるために通常必要とされる振幅よりも量ΔＶｐだけ低く保たれる。
【００５０】
持続期間ＴｐｒｅｃＢを有する第３の予備調整パルスは、持続期間ＴｆＢを有する次のサブフィールドの開始時に印加される。この第３の予備調整パルスは、このパルスの後に第２の色のみが発生するように、色混合の状態を終了させる。
【００５１】
留意すべきは、上述した実施例は、本発明を限定しているのではなく、説明しているのであって、当業者は、添付の特許請求の範囲の適用範囲から外れることなく多種多様な実施例を設計することができる点である。特許請求の範囲において、括弧内に置かれた如何なる参照符号も、特許請求の範囲を限定するように解釈されるべきではない。語「有する」は、特許請求の範囲に挙げられた以外の要素又はステップの存在を認めないわけではない。要素の前の語「１つの」は、このような要素が複数個存在することを認めないわけではない。本発明は、幾つかの個別素子を有するハードウェア、及び適切にプログラムされたコンピュータを用いて実施可能である。幾つかの手段を列挙する装置クレームにおいて、それらの手段のうちの幾つかは、ハードウェアの同一の部品によって具現化可能である。特定の手段が相互に異なる従属請求項に挙げられているという事実は、それらの手段の組み合わせが有利に使用されえないことを示すわけではない。
【図面の簡単な説明】
【００５２】
【図１】カラーマトリクスディスプレイ内の画素の列を概略的に示す。
【図２】サブピクセル回路の第１の実施例と、それへ駆動信号を伝送するための導線部とを示す。
【図３】サブピクセル回路の第２の実施例と、それへ駆動信号を伝送するための導線部とを示す。
【図４】サブピクセル回路の第３の実施例と、それへ駆動信号を伝送するための導線部とを示す。
【図５】駆動信号と、図２のサブピクセル回路内の発光セル電極間の出力電圧との間の関係を示す。
【図６】図４のサブピクセル回路を駆動する駆動信号の波形の一例を示す。
【図７】図２又は図３のサブピクセル回路を駆動する駆動信号の波形の一例を示す。
【図８】色混合を得るために用いられる、図２又は図３のサブピクセル回路を駆動する駆動信号の波形の一例を示す。
【図１】
2007508594.tif 000003
【図２】
2007508594.tif 000004
【図３】
2007508594.tif 000005
【図４】
2007508594.tif 000006
【図５】
2007508594.tif 000007
【図６】
2007508594.tif 000008
【図７】
2007508594.tif 000009
【図８】
2007508594.tif 000010
【国際調査報告】
2007508594.tif 000011
2007508594.tif 000012